(57)【要約】    【構成】  メニュー画面上のカーソルが“デジタルテレビ”を指向したときステップＳ１４１，Ｓ１４３で共にＹＥＳと判定され、ステップＳ１４５，Ｓ１４７に進んでタイマがスタートする。そしてタイマが満了したときステップＳ１５５でＹＥＳと判定され、ステップＳ１５７に進んでチューナがオンされる。一方、カーソルが“デジタルテレビ”から別のメニュー項目に移動したときステップＳ１４１，Ｓ１４３，Ｓ１４９でＹＥＳ，ＮＯ，ＹＥＳと判定され、ステップＳ１５１に進んでチューナがオフされる。    【効果】  “デジタルテレビ”が選択されそうになったときチューナがオンされるので、これが実際に選択されたとき、つまりカーソルが“デジタルテレビ”を指向した状態でＯＫ操作がなされたとき、速やかに放送コンテンツを出力できる。また、他のメニュー項目が選択されそうになればチューナはオフされるので、電力消費を抑制できる。【選択図】  図１０
2005184255.tif 000002
【特許請求の範囲】
【請求項１】
放送受信機能を含む複数の機能を有する多機能端末装置において、
前記放送受信機能に関連する特定メニュー項目を含む複数のメニュー項目と前記複数のメニュー項目のいずれか１つを指向するカーソルとを表示する表示手段、
カーソル移動操作を受け付けたとき前記カーソルを移動させる移動手段、
前記カーソルが前記特定メニュー項目を指向したとき前記放送受信機能を起動する起動手段、
前記カーソルが前記特定メニュー項目から別のメニュー項目に移動したとき前記放送受信機能を停止する停止手段、および
前記カーソルが前記特定メニュー項目を指向する状態で特定操作を受け付けたとき前記放送受信機能によって受信された放送コンテンツを出力する出力手段を備えることを特徴とする、多機能端末装置。
【請求項２】
前記起動手段は前記カーソルが前記特定メニュー項目を指向してから所定時間が経過した時点で前記放送受信機能を起動する、請求項１記載の多機能端末装置。
【請求項３】
前記放送コンテンツは符号化された状態で送信され、
前記出力手段は前記放送コンテンツを復号する復号手段を含む、請求項１または２記載の多機能端末装置。
【請求項４】
バッテリに基づく駆動電力を供給する電源供給手段をさらに備える、請求項１ないし３のいずれかに記載の多機能端末装置。
【発明の詳細な説明】
【技術分野】
【０００１】
この発明は、多機能端末装置に関し、特にたとえば、デジタルテレビジョン（ＤＴＶ）放送受信機能が付加された、携帯通信端末装置に関する。
【背景技術】
【０００２】
近々モバイル機器向けのＤＴＶ放送が開始されるのに伴い、ＤＴＶチューナを内蔵した携帯通信端末装置の開発が進められている。この種の携帯通信端末装置では、ＤＴＶ受信機能を付加したことで通話時間ないしは待ち受け時間が大幅に短くなることのないように、ＤＴＶチューナの電力消費量をできるだけ少なく抑えることが重要となる。
【０００３】
さて、従来の多機能端末装置の一例が特許文献１に開示されている。この従来技術では、ＴＶ表示機能を備えた情報処理装置において、押下されたスイッチが情報処理用かＴＶ用かを識別し、識別結果がＴＶ用であればＴＶ機能部にだけ、情報処理用であれば情報処理機能部にだけ電源を供給するようにしている。
【特許文献１】特開２００１−２８５７４６号公報〔Ｈ０４Ｎ ５／４４５〕
【発明の開示】
【発明が解決しようとする課題】
【０００４】
上記従来技術の手法つまり使わない機能は停止するという手法をＤＴＶチューナ内蔵型の携帯通信端末装置に用いれば、ＤＴＶを視聴しないときＤＴＶチューナをオフすることによって電力消費量が少なく抑えられ、その結果、通話時間ないしは待ち受け時間が大幅に短くなるのを防ぐことができると考えられる。
【０００５】
ところが、ＤＴＶチューナでは一般に、電源をオンしてからモニタに映像が表示されるまでに少なくとも１〜２秒の待ち時間を必要とする。つまり、起動時の応答特性がアナログＴＶチューナほど良好ではない。多重化ストリームから所望のチャネルのストリームを取り出すためのチャネルロック処理、および取り出されたストリームのデコード処理に時間がかかるためである。この種の処理時間を短縮するのは容易でなく、そのため、起動時の応答特性を向上させたい場合は従来、ＤＴＶを視聴しないときでもチューナの電源をオン状態とし、常時チューナを所定のチャネルにロックされた状態にしなければならかった。
【０００６】
しかしながら、電池を電源とする携帯通信端末でＤＴＶチューナの電源をオン状態にし続けたのでは、前述したように通話時間ないしは待ち受け時間が大幅に短くなってしまう。なお、起動時の遅延は、ＤＴＶチューナの場合よりも短いとはいえアナログＴＶチューナでも生じる。また、チューナの無駄な消費電力は、商用電源から電力供給を受ける据え置き型の端末装置においても削減すべきである。
【０００７】
それゆえに、この発明の主たる目的は、放送受信機能を速やかに起動でき、かつ消費電力を抑えることができる、多機能端末装置を提供することである。
【課題を解決するための手段】
【０００８】
請求項１の発明は、放送受信機能を含む複数の機能を有する多機能端末装置において、放送受信機能に関連する特定メニュー項目を含む複数のメニュー項目と複数のメニュー項目のいずれか１つを指向するカーソルとを表示する表示手段、カーソル移動操作を受け付けたときカーソルを移動させる移動手段、カーソルが特定メニュー項目を指向したとき放送受信機能を起動する起動手段、カーソルが特定メニュー項目から別のメニュー項目に移動したとき放送受信機能を停止する停止手段、およびカーソルが特定メニュー項目を指向する状態で特定操作を受け付けたとき放送受信機能によって受信された放送コンテンツを出力する出力手段を備えることを特徴とする、多機能端末装置である。
【０００９】
請求項１の発明では、特定メニュー項目を含む複数のメニュー項目と、これら複数のメニュー項目のいずれか１つを指向するカーソルとが表示手段により表示される。移動手段は、カーソル移動操作を受け付けたときカーソルを移動させる。起動手段は、移動手段による移動の結果としてカーソルが特定メニュー項目を指向したとき放送受信機能を起動し、停止手段は、カーソルが特定メニュー項目から別のメニュー項目に移動したとき放送受信機能を停止する。起動された放送受信機能は、速やかに放送コンテンツの受信処理たとえばチャネルロック，デコードなどの処理を開始し、出力手段は、カーソルが特定メニュー項目を指向する状態で特定操作を受け付けたとき、放送受信機能によって受信された放送コンテンツを出力する。この場合、特定メニュー項目指向から特定操作受け付けまでの期間に放送コンテンツ受信処理が進行しているので、カーソルが特定メニュー項目を指向した状態で特定操作を受け付けたとき、速やかに放送コンテンツを出力することができる。
【００１０】
請求項２の発明は、請求項１記載の多機能端末装置において、起動手段はカーソルが特定メニュー項目を指向してから所定時間が経過した時点で放送受信機能を起動する。
【００１１】
請求項２の発明によれば、カーソルが特定メニュー項目を素通りするとき放送受信機能が無駄にオンされるのを防ぐことができる。
【００１２】
請求項３の発明は、請求項１または２記載の多機能端末装置において、放送コンテンツは符号化された状態で送信され、出力手段は放送コンテンツを復号する復号手段を含む。
【００１３】
ＤＴＶ放送受信機能付き多機能端末装置では一般に、チューナおよびデコーダで発生する遅延のためにＤＴＶ放送受信機能起動時の応答特性がよくないが、請求項３の発明によれば、これを改善することができる。
【００１４】
請求項４の発明は、請求項１ないし３のいずれかに記載の多機能端末装置において、バッテリに基づく駆動電力を供給する電源供給手段をさらに備える。
【００１５】
請求項４の発明によれば、バッテリによる駆動時間を長くすることができる。
【発明の効果】
【００１６】
この発明によれば、カーソルが特定メニュー項目を指向したとき放送受信機能を起動し、カーソルが特定メニュー項目から別のメニュー項目に移動したとき放送受信機能を停止するので、カーソルが特定メニュー項目を指向した状態で特定操作を受け付けたとき速やかに放送コンテンツを出力することができ、しかも、放送受信機能による電力消費を少なく抑えることができる。
【００１７】
この発明の上述の目的，その他の目的，特徴および利点は、図面を参照して行う以下の実施例の詳細な説明から一層明らかとなろう。
【発明を実施するための最良の形態】
【００１８】
図１を参照して、この実施例の携帯通信端末１０は、移動通信システムを用いて移動通信を行う移動通信回路１２と、ＤＴＶ放送システムを用いて放送された番組コンテンツを受信する放送番組受信回路１４と、移動通信回路１２および放送番組受信回路１４の両方を制御するＣＰＵ３６とを含む。移動通信回路１２，放送番組受信回路１４およびＣＰＵ３６のいずれも、バッテリ３４に基づいて電源回路３２から出力される電力によって駆動される。
【００１９】
操作パネル３８によってダイヤル操作が行われると、ＣＰＵ３６は、移動通信回路１２に設けられた無線回路１８に発呼処理を命令する。この発呼処理によって相手方との接続が確立されると、通話可能状態となる。また、アンテナ１６を通して発呼信号を受信すると、無線回路１８からＣＰＵ３６に対して電話着信が通知される。ＣＰＵ３６は、呼び出し音信号の発生を放送番組受信回路１４に設けられたサウンドジェネレータ５６に命令するとともに、呼び出しメッセージを表すキャラクタ信号の発生を放送番組受信回路１４に設けられたキャラクタジェネレータ６４に命令する。これによって、呼び出し音がスピーカ５８から出力されるとともに、呼び出しメッセージがモニタ６６から出力される。呼び出し音および呼び出しメッセージの出力を受けて、操作パネル３８によって着信操作が行われると、相手方との接続が確立され、通話可能状態となる。
【００２０】
通話可能状態に移行すると、マイクロフォン３０によって捉えられた音声信号がアンプ２８によって増幅され、かつＡＤ／ＤＡ変換回路２２によってディジタル信号である音声データに変換される。変換された音声データは信号処理回路２０によってパケットデータつまり音声パケットに符号化され、符号化された音声パケットは無線回路１８によって変調される。変調された音声パケットは、アンテナ１６を介して相手方に発信される。相手方から送られてきた音声パケットは、アンテナ１６によって受信され、無線回路１８によって復調される。復調された音声パケットは信号処理回路２０によって音声データに復号され、復号された音声データは、ＡＤ／ＤＡ変換回路２２によってアナログ信号である音声信号に変換される。変換された音声信号は、アンプ２４を介してスピーカ２６から出力される。
【００２１】
操作パネル３８によってメールが作成されかつ発信操作が行われると、ＣＰＵ３６は、宛先のメールボックスを管理するサイトへの接続を無線回路１８に命令するとともに、作成されたメールデータの符号化を信号処理回路２０に命令する。作成されたメールデータは信号処理回路２０によってパケットデータつまりメールパケットに変換され、変換されたメールパケットは無線回路１８およびアンテナ１６を通して所望のサイトに送信される。
【００２２】
自分のメールボックスにメールパケットが存在すれば、このメールパケットはアンテナ１６を通して受信される。受信されたメールパケットは、無線回路１８によって復調され、信号処理回路２０によって復号される。ＣＰＵ３６は、無線回路１８からのメール着信通知に応答して、信号処理回路２０によって復号されたメールデータをフラッシュメモリ４０に保存し、メールデータの着信を表すキャラクタ信号の出力をキャラクタジェネレータ６４に命令する。この結果、メールの受信を示すアイコンつまりメールアイコンがモニタ６６に表示される。
【００２３】
キャラクタ表示処理に関連して、ＣＰＵ３６は、バッテリ３４の残量およびアンテナ１６の受信感度を常に検出し、キャラクタジェネレータ６４は、電話の呼び出しメッセージおよびメールアイコンの表示以外に、バッテリ３４の残量を表すバッテリ残量アイコンおよびアンテナ１６の受信感度を表す受信感度アイコンをモニタ６６の所定領域（図示せず）に常時表示する。
【００２４】
操作パネル３８の操作によって電話設定モードが選択されると、キャラクタジェネレータ６４は、電話設定画面（図示せず）をモニタ６６に表示し、電話設定画面に向けて操作パネル３８が操作されると、ＣＰＵ３６は、操作内容に従い電話設定処理を行う。同様に、メール設定モードが選択されると、キャラクタジェネレータ６４はメール設定画面（図示せず）を表示し、メール設定画面に向けて操作パネル３８が操作されると、ＣＰＵ３６はメール設定処理を行う。電話帳モードが選択されると、キャラクタジェネレータ６４は電話帳画面（図示せず）を表示し、電話帳画面に向けて操作パネル３８が操作されると、ＣＰＵ３６は電話番号の検索／登録処理を行う。その他のモードが選択されると、キャラクタジェネレータ６４は選択されたモードに対応する画面（図示せず）を表示し、画面に向けて操作パネル３８が操作されると、ＣＰＵ３６は、操作内容に従い選択されたモードに対応する処理を行う。
【００２５】
操作パネル３８の操作によって番組視聴モードが選択されかつ所望のチャネルが選択されると、ＣＰＵ３６は、放送番組受信回路１４を起動するとともに、所望のチャネルの選択つまりチャネルロックをチューナ４４に命令する。チューナ４４は、アンテナ４２によって捉えられたテレビジョン放送の高周波信号から所望のチャネルの高周波信号を抽出し、かつ抽出した高周波信号にＭＰＥＧシステムに従う復調処理を施す。これによって、所望のチャネルのディジタル放送データがチューナ４４から出力される。出力されたディジタル放送データは、バッファメモリ４６を介してデマルチプレクサ４８に与えられる。
【００２６】
デマルチプレクサ４８は、与えられたディジタル放送データから音声パケットおよび映像パケットを抽出し、ＡＶセレクタ５０は、抽出された音声パケットおよび映像パケットをＭＰＥＧ２−ＡＡＣオーディオデコーダ５２およびＭＰＥＧ４ビデオデコーダ６０にそれぞれ与える。
【００２７】
ＭＰＥＧ２−ＡＡＣオーディオデコーダ５２は、与えられた音声パケットをデコードして音声データを生成する。生成された音声データは、Ｄ／Ａ変換器５４によってアナログ信号である音声信号に変換され、変換された音声信号はスピーカ５８に与えられる。この結果、所望のチャネルで放送される番組コンテンツの音声がスピーカ５８から出力される。
【００２８】
ＭＰＥＧ４ビデオデコーダ６０は、与えられた映像パケットをデコードして映像データを生成し、生成した映像データをＮＴＳＣエンコーダ６２に与える。この映像データは、ＮＴＳＣエンコーダ６２によってコンポジット映像信号に変換され、変換されたコンポジット映像信号はモニタ６６に出力される。この結果、所望のチャネルで放送される番組コンテンツの映像が、モニタ６６の画面に表示される。
【００２９】
操作パネル３８の構成例が図２に示されている。図２を参照して、操作パネル３８は、メニューキー３８ａと、クリアキー３８ｂと、電源キー３８ｃと、上カーソルキー３８ｄと、下カーソルキー３８ｅと、左カーソルキー３８ｆと、右カーソルキー３８ｇと、ＯＫキー３８ｈと、テンキー３８ｉとを含む。操作パネル３８上のいずれかのキーが押下されると、操作パネル３８からＣＰＵ３６へ押下キーに対応するコード信号が入力される。
【００３０】
例えばメニューキー３８ａが押下されると、このキー３８ａに対応するコード信号が操作パネル３８からＣＰＵ３６に入力される。応じてＣＰＵ３６は、キャラクタジェネレータ６４に制御信号を送信する。キャラクタジェネレータ６４は、ＣＰＵ３６からの制御信号に従ってメニュー画面用の画像信号を生成する。こうして生成された画像信号がモニタ６６に入力され、その結果、モニタ６６にメニュー画面が表示される。
【００３１】
メニューキー３８ａが押下されたときモニタ６６に表示される画面つまり初期メニュー画面が図３に示されている。図３を参照して、初期メニュー画面には、“１．電話設定”，“４．デジタルテレビ”などの複数のメニュー項目と、最上段のメニュー項目つまり“１．電話設定”を指向するカーソル６６ａとが含まれる。
【００３２】
再び図２を参照して、メニュー画面が表示された状態で上カーソルキー３８ｄが押されると、メニュー画面上のカーソル６６ａが上に１つ移動する。同様に、下カーソルキー３８ｅが押されるとカーソル６６ａが下に１つ移動し、左カーソルキー３８ｆが押されるとカーソル６６ａが左に１つ移動し、右カーソルキー３８ｇが押されるとカーソル６６ａが右に１つ移動する。また、カーソル６６ａがいずれかのメニュー項目を指向している状態でＯＫキー３８ｈが押されると、カーソル６６ａの指向している項目に対応する機能が起動される。
【００３３】
従って、ＤＴＶ番組を視聴したい場合、ユーザは、まずメニューキー３８を押して図３のメニュー画面を呼び出し、次いで下カーソルキー３８ｅを続けて３回押すことによりカーソル６６ａを図４に示すように“４．デジタルテレビ”の位置まで移動させ、そしてキー３８ｄの中央を押すことにより“４．デジタルテレビ”を選択すればよい。これによりＤＴＶ受信機能が起動され、モニタ６６にＤＴＶ放送番組が表示される。
【００３４】
再び図１を参照して、放送番組受信回路１４には、チューナ４４をオン／オフするための電源スイッチ６８と、ＤＴＶスリープモードを設定／解除するためのモードスイッチ７０とが設けられている。電源スイッチ６８およびモードスイッチ７０は、ＣＰＵ３６の指示に従って動作する。ＤＴＶスリープモードが設定されると、ＭＰＥＧ２−ＡＡＣオーディオデコーダ５２，Ｄ／Ａ変換器５４，ＭＰＥＧ４ビデオデコーダ６０およびＮＴＳＣエンコーダ６２の各々がスリープ状態に移行する。スリープ状態では、設定値を保持する機能、およびスイッチ６８，７０からの制御信号を検出してスリープ状態を脱する機能を除く全ての機能が停止され、電力消費量を最小限に抑えることができる。
【００３５】
ＣＰＵ３６は、上記のようなチューナ４４のオン／オフおよびＤＴＶスリープモードの設定／解除を、カーソル６６ａの位置およびタイマ７２の時間に基づいて実行する。具体的には、“３．電話帳”または“５．その他”の位置にあったカーソル６６ａが図４のように“４．デジタルテレビ”の位置へと移動したとき、タイマ７２を起動させる。そして、タイマ７２の時間が所定値に等しくなったとき、電源スイッチ６８を介してチューナ４４をオンし、かつモードスイッチ７０を介してＤＴＶスリープモードを解除する。
【００３６】
ＣＰＵ３６また、こうしてＤＴＶ受信機能が起動された後、カーソル６６ａが“４．デジタルテレビ”から外れて“３．電話帳”または“５．その他”を指向したとき、電源スイッチ６８を介してチューナ４４をオフし、さらにモードスイッチ７０を介してＤＴＶスリープモードを設定する。
【００３７】
このような制御を行えば、ユーザが“４．デジタルテレビ”をまさに選択しそうになったとき、チューナ４４が起動されＤＴＶ受信処理が開始されるので、“４．デジタルテレビ”が選択されたとき、速やかに放送コンテンツを出力することができる。つまり、ＤＴＶ放送受信機能選択時の応答特性が向上する。また、カーソル６６ａが４．デジタルテレビ”を指向していったんチューナ４４が起動されＤＴＶ受信処理が開始されても、その状態でＯＫキー操作がなされずにカーソル６６ａが４．デジタルテレビ”から外れれば、速やかにチューナ４４はオフされＴＶ受信処理も終了される。そのため、チューナ４４による無駄な電力消費が少なく抑えられる。
【００３８】
より具体的には、メニュー画面上でカーソル６６ａを“４．デジタルテレビ”の位置まで移動させてからＯＫ入力を行う一連のＤＴＶ起動手順において、カーソル６６ａが“４．デジタルテレビ”を指向したときチューナ４４がオンされるので、その後ＯＫキー操作がなされたときには既に、チューナ起動からチャネルロック、ＤＴＶ信号のデコードに至るＤＴＶ受信処理の少なくとも一部が終わっていることになる。その結果、ＯＫキー操作からモニタ６６に放送コンテンツが表示されるまでの待ち時間が短縮されることとなる。
【００３９】
そして、この実施例では特に、カーソル６６ａが“４．デジタルテレビ”を指向した瞬間ではなく、指向から所定時間が経過するのを待ってＤＴＶ受信機能を起動するので、“４．デジタルテレビ”を素通りして別のメニュー項目までカーソル１８ａを移動させる場合にチューナ１２が無駄に起動される可能性を低減することができる。
【００４０】
電力消費については、ＤＴＶ番組を視聴しないときチューナ４４はオフ状態に、ＭＰＥＧ２−ＡＡＣオーディオデコーダ５２，Ｄ／Ａ変換器５４，ＭＰＥＧ４ビデオデコーダ６０およびＮＴＳＣエンコーダ６２はスリープ状態に置かれ、視聴開始直前にそれぞれオン，スリープ解除されるので、ＤＴＶ受信機能による電力消費量が最小限に抑えられる。
【００４１】
ＣＰＵ３６は、μＩＴＲＯＮのようなマルチタスクＯＳを搭載したマルチタスクＣＰＵであり、図６に示すメインタスク，図７および図８に示すイベントタスク，図９に示すカーソル移動タスク，図１０に示すカーソル位置によるＤＴＶ機能オン／オフタスク，および図１１に示すメニュー処理タスクを実行する。なお、ＣＰＵ３６は、図６〜図１１の処理の他に着呼処理タスク，メール受信処理タスク，受信感度検出タスク，バッテリ残量検出タスクなども実行するが、これらのタスクに関する詳しい説明は省略する。フラッシュメモリ４０には、ＣＰＵ３６により参照されるプログラムおよび設定データが格納されている。
【００４２】
まず図６を参照して、ＣＰＵ３６は、起動後、ステップＳ１で初期処理を行う。初期処理には、チューナ４４，ＭＰＥＧ２−ＡＡＣオーディオデコーダ５２，Ｄ／Ａ変換器５４，ＭＰＥＧ４ビデオデコーダ６０およびＮＴＳＣエンコーダ６２の初期設定が含まれる。初期処理が終了すると、ステップＳ３で電源スイッチ６８を介してチューナ４４をオフする。そして、ステップＳ５で待ち受け画面（図示せず）をモニタ６６に表示し、さらに、ステップＳ７でモードスイッチ７０を介してスリープモードを設定する。
【００４３】
その後ＣＰＵ３６は、画面表示命令待ちの状態に移行する。メニュー画面表示命令が発行されると、ステップＳ９でＹＥＳと判定し、ステップＳ１１に移ってスリープモードを解除する。そして、ステップＳ１３でモニタ６６にメニュー画面を表示し、その後、画面表示命令待ちの状態に戻る。ＤＴＶ画面表示命令が発行されると、ステップＳ１５でＹＥＳと判定し、ステップＳ１７に移ってスリープモードを解除する。そして、ステップＳ１９でモニタ６６にＤＴＶ画面を表示し、その後、画面表示命令待ちの状態に戻る。その他の画面表示命令が発行されると、ステップＳ２１でＹＥＳと判定し、ステップＳ２３に移ってスリープモードを解除する。そして、ステップＳ２５でモニタ６６に対応画面を表示し、その後、画面表示命令待ちの状態に戻る。
【００４４】
待ち受け画面表示命令が発行された場合、ＣＰＵ３６は、ステップＳ２７でＹＥＳと判定し、ステップＳ２９に移って待ち受け画面を表示する。次いで、ステップＳ３１でスリープモードを設定し、その後、画面表示命令待ちの状態に戻る。
【００４５】
図７を参照して、ＣＰＵ３６は、ステップＳ５１で着呼の有無を、ステップＳ５７でメール受信の有無を、ステップＳ６３でクリアキー３８ｂ（もしくは電源キー３８ｃ）の押下の有無をそれぞれ判別する。着呼があれば、ステップＳ５３でＤＴＶ機能をオフした後、ステップＳ５５で着呼処理命令を発行し、その後ステップＳ５１に戻る。メール受信があれば、ステップＳ５９でＤＴＶ機能をオフした後、ステップＳ６１でメール受信処理命令を発行し、その後ステップＳ５１に戻る。クリアキー３８ｂの押下があれば、ステップＳ６５でＤＴＶ機能をオフした後、ステップＳ６７で待ち受け画面表示命令を発行し、その後ステップＳ５１に戻る。
【００４６】
着呼，メール受信およびクリアキー３８ｂの押下のうちどのイベントも発生しなければ、ステップＳ７１およびＳ７７で現在表示されている画面の種類を判別する。待ち受け画面が表示されている場合、ステップＳ７１からステップＳ７３に移り、メニューキー３８ａの押下の有無を判別する。メニューキー３８ａが押下されれば、ステップＳ７５でメニュー画面表示命令を発行し、その後ステップＳ５１に戻る。メニュー画面が表示されている場合、ステップＳ７７からステップＳ７９に移り、上カーソルキー３８ｄまたは下カーソルキー３８ｅによる上方向操作または下方向操作の有無を判別する。
【００４７】
上方向操作または下方向操作があれば、ステップＳ８１でカーソル移動命令を発行し、その後ステップＳ５１に戻る。上方向および下方向のどちらの操作もなければ、ステップＳ８３でＯＫキー３８ｈが押されたかどうかをさらに判別する。ＯＫキー３８ｈが押されなければ、ステップＳ５１に戻る。ＯＫキー３８ｈが押されると、メニュー処理命令を発行し、その後ステップＳ５１に戻る。
【００４８】
図８を参照して、ＴＶ受信機能を停止するサブルーチンでＣＰＵ３６は、まずステップＳ９１で、現在モニタ６６にＤＴＶ画面が表示されているかどうかを判別する。ＤＴＶ画面が表示されていれば、ステップＳ９３に移ってＤＴＶ受信終了処理を行う。次いで、ステップＳ９５で電源スイッチ６８を介してチューナ４４をオフし、その後、上位層のルーチンに復帰する。
【００４９】
ＤＴＶ画面が表示されていなければ、ステップＳ９１からステップＳ９７に移ってチューナ４４がオン状態かどうかを判別する。オフ状態であれば、上位層のルーチンに復帰する。オン状態であれば、ステップＳ９５でチューナ４４をオフし、その後、上位層のルーチンに復帰する。
【００５０】
図９を参照して、ＣＰＵ３６は、ステップＳ１１１でカーソル移動命令が発行されたか否かを判別する。カーソル移動命令が発行されなければ待機し、発行されるとステップＳ１１３およびＳ１２１で命令の示す移動方向を特定する。移動方向が上向きであれば、ステップＳ１１３からステップＳ１１５に進んで、現在カーソルがメニュー項目の最上段の位置にあるか否かを判定する。判定結果が肯定的であれば、カーソルを最下段へとジャンプさせ、その後、ステップＳ１１１に戻って次のカーソル移動命令を待つ。判定結果が否定的であれば、カーソルを１段上へと移動させ、その後ステップＳ１１１に戻る。
【００５１】
移動方向が下向きであれば、ステップＳ１２１からステップＳ１２３に進んで、現在カーソルがメニュー項目の最下段の位置にあるか否かを判定する。判定結果が肯定的であればカーソルを最上段へとジャンプさせ、その後ステップＳ１１１に戻る。判定結果が否定的であれば、カーソルを１段下へと移動させ、その後ステップＳ１１１に戻る。移動方向が上向きでも下向きでもなければ、ステップＳ１２９でカーソルを左右方向に移動させ、その後ステップＳ１１１に戻る。
【００５２】
図１０を参照して、ＣＰＵ３６は、ステップＳ１４１でカーソル移動が行われたかどうかの判別を行う。カーソル移動が行われると、ステップＳ１４３に進み、移動後のカーソルが“４．デジタルテレビ”を指向しているか否かを判定する。判定結果が肯定的であれば、ステップＳ１４５でタイマ７２をリセットし、さらにステップＳ１４７でタイマ７２をスタートさせる。その後、ステップＳ１４１に戻り、次のカーソル移動を待つ。
【００５３】
ステップＳ１４３の判定結果が否定的であれば、ステップＳ１４９に進んで、移動前のカーソルが“４．デジタルテレビ”を指向していたか否かを判定する。この判定の結果が否定的であればステップＳ１４１に戻り、肯定的であれば、ステップＳ１５１でチューナ４４をオフし、さらにステップＳ１５３でＤＴＶ受信終了処理を実行した後、ステップＳ１４１に戻る。
【００５４】
カーソル移動が行われないときには、ステップＳ１５５でタイマ７２が満了したかどうかを判別する。タイマ７２がまだ満了していなければ、ステップＳ１４１に戻る。タイマ７２が満了すると、ステップＳ１５７でチューナ４４をオンし、さらにステップＳ１５９でＤＴＶ受信開始処理を実行する。ＤＴＶ受信開始処理には、チューナ４４にチャネルロックを行うよう命令する処理が含まれる。その後、ステップＳ１４１に戻る。
【００５５】
要するにＣＰＵ３６は、ユーザのキー操作によってカーソル６６ａが“４．デジタルテレビ”を指向したときタイマ７２をスタートさせ、その後、タイマ７２が満了したときチューナ４４をオンして受信処理を開始する。また、こうして一旦チューナ４４をオンし受信処理を開始しても、ＯＫ入力がなされる前にカーソル６６ａが“４．デジタルテレビ”から外れれば、そのときはチューナ４４をオフして受信処理を終了する。
【００５６】
図１１を参照して、ＣＰＵ３６は、ステップＳ１７１でメニュー処理命令が発行されたかどうかを判別する。メニュー処理命令が発行されると、ステップＳ１７３で現在カーソル６６ａが“４．デジタルテレビ”を指向しているか否かを判定する。判定結果が肯定的であればＤＴＶ画面表示命令を発行し、その後ステップＳ１７１に戻って次のメニュー処理命令を待つ。
【００５７】
ステップＳ１７３の判定結果が否定的、つまりカーソル６６ａが“４．デジタルテレビ”以外のメニュー項目を指向していれば、ステップＳ１７７でこのメニュー項目に対応する画面表示命令を発行する。次いで、ステップＳ１７９でこのメニュー項目に対応する機能起動命令を発行する。その後、ステップＳ１７１に戻る。
【００５８】
以上の説明から明らかなように、この実施例によれば、ユーザのカーソルキー操作によってカーソル６６ａが“４．デジタルテレビ”を指向したときチューナ４４をオンして受信処理を開始し、カーソル６６ａが“４．デジタルテレビ”から外れたときチューナ４４をオフして受信処理を終了するので、“４．デジタルテレビ”が選択されたとき、つまりカーソル６６ａが“４．デジタルテレビ”を指向した状態でＯＫキー操作がなされたとき、速やかに放送コンテンツを出力することができ、しかも、チューナ１２による電力消費量を少なく抑えることができる。
【００５９】
なお、この実施例では、カーソル６６ａが“４．デジタルテレビ”を指向してチューナ１２がオン状態となった後、“４．デジタルテレビ”からカーソル６６ａが外れたときチューナ１２をオフしているが、これに加え、“４．デジタルテレビ”を指向する状態が所定時間以上続いたときチューナ１２をオフする制御をさらに行ってもよい。これにより、カーソル６６ａが“４．デジタルテレビ”を指向した状態でユーザがキー操作を中断した場合に、電力が無駄に消費されるのを防ぐことができる。
【００６０】
なお、この発明は、ＤＴＶチューナ付き携帯通信端末に限らず、デジタルラジオチューナ付き携帯通信端末にも適用することができる。また、アナログＴＶ／ラジオチューナ付き携帯通信端末にも適用することができるが、この場合の応答特性の改善効果は、デジタルチューナ付き携帯通信端末に適用したときほど顕著でない。
【００６１】
さらに、この発明は、チューナ付き携帯通信端末に限らず、チューナ付き携帯情報端末，チューナ付きノート型パソコン，チューナ付き携帯ゲーム機など、ＴＶ／ラジオ放送受信機能を含む複数機能を備えた様々な多機能携帯端末装置にも適用することができる。
【００６２】
さらにまた、この発明は、携帯型に限らず、据え置き型ないしは車載型の多機能端末装置にも適用することができる。据え置き型や車載型であれば、バッテリから電力の供給を受ける携帯型端末とは異なりチューナの電力消費を抑えなくても動作時間が短くなることはないが、やはり無駄な電力消費を減らすことが望まれる。
【００６３】
つまり、この発明は、放送受信機能を含む複数機能を備えたあらゆる多機能端末装置に適用され、放送受信機能起動時の応答特性を改善し、かつ電力消費を抑える効果を発揮する。最も好ましい適用対象は、処理遅延の大きいデジタルチューナやデコーダを備える、かつ限られた容量のバッテリから電力供給を受けて動作する多機能携帯端末装置であり、その典型例がＤＴＶ放送受信機能付きの携帯通信端末である。
【図面の簡単な説明】
【００６４】
【図１】この実施例の携帯通信端末の構成を示すブロック図である。
【図２】操作パネルの構成例を示すブロック図である。
【図３】メニュー画面の一例を示す図解図である。
【図４】メニュー画面の他の一例を示す図解図である。
【図５】メニュー画面のその他の一例を示す図解図である。
【図６】ＣＰＵの動作の一部を示すフロー図である。
【図７】ＣＰＵ動作の他の一部を示すフロー図である。
【図８】ＣＰＵ動作のその他の一部を示すフロー図である。
【図９】ＣＰＵ動作のさらにその他の一部を示すフロー図である。
【図１０】ＣＰＵ動作の他の一部を示すフロー図である。
【図１１】ＣＰＵ動作のその他の一部を示すフロー図である。
【符号の説明】
【００６５】
１０…携帯通信端末
１２…移動通信回路
１４…放送番組受信回路
３６…ＣＰＵ
３８…操作パネル
４４…チューナ
６６…モニタ
６８…電源スイッチ
７０…モードスイッチ
７２…タイマ
【図１】
2005184255.tif 000003
【図２】
2005184255.tif 000004
【図３】
2005184255.tif 000005
【図４】
2005184255.tif 000006
【図５】
2005184255.tif 000007
【図６】
2005184255.tif 000008
【図７】
2005184255.tif 000009
【図８】
2005184255.tif 000010
【図９】
2005184255.tif 000011
【図１０】
2005184255.tif 000012
【図１１】
2005184255.tif 000013